(57)【要約】【課題】運搬に便利で設置安全性が高く、しかも握持しやすい取手を備えた空気調和機の室外機及びこれを備えた空気調和機を提供すること。【解決手段】熱交換器１２、送風機１３、圧縮機１６、冷媒配管１７を備えた空気調和機の室外機であって、室外機の室外機本体１の角部に室外機搬送用の取手５ａ〜５ｄが設けられ、取手５ａ〜５ｄが角部の両辺に跨って開口している。そして、取手５ａ〜５ｄを取手枠６と袋状部７とによって構成し、袋状部７の上部に凸状部７ａを設け、また、取手５ａ〜５ｄの袋状部７の下面を奥方向に向かって上方に傾斜させ、さらに取手５ａ〜５ｄの袋状部７の凸状部７ａの機械室１５側又は送風室１１側を凹形の円弧状７ｂにした。また、空気調和機は、上記の室外機を備えたものである。【選択図】図５
2010175134.tif 000002
【特許請求の範囲】
【請求項１】
熱交換器、送風機、圧縮機、冷媒配管を備えた空気調和機の室外機であって、
前記室外機の室外機本体の角部に室外機搬送用の取手が設けられ、該取手が前記角部の両辺に跨って開口していることを特徴とする空気調和機の室外機。
【請求項２】
前記取手を取手枠と袋状部とによって構成し、前記袋状部の上部に凸状部を設けたことを特徴とする請求項１記載の空気調和機の室外機。
【請求項３】
前記取手の袋状部の下面を奥方向に向かって上方に傾斜させたことを特徴とする請求項２記載の空気調和機の室外機。
【請求項４】
前記取手の袋状部の凸状部の機械室側又は送風室側を凹形の円弧状にしたことを特徴とする請求項２または３記載の空気調和機の室外機。
【請求項５】
前記取手の巾方向の長さを奥行き方向の長さよりも長くしたことを特徴とする請求項１〜４のいずれかに記載の空気調和機の室外機。
【請求項６】
前記取手の巾を指４本程度の寸法とし、奥行きを指の第２関節から根元までの寸法程度としたことを特徴とする請求項５記載の空気調和機の室外機。
【請求項７】
前記取手の巾方向の長さと奥行き方向の長さをほぼ等しくしたことを特徴とする請求項１〜４のいずれかに記載の空気調和機の室外機。
【請求項８】
前記取手を前記室外機本体の上下方向のすべての角部に設けたことを特徴とする請求項１〜７記載の空気調和機の室外機。
【請求項９】
一方の側面の前後に配置された取手と他方の側面の前後に配置された取手とがそれぞれ同形状であること特徴とする請求項８記載の空気調和機の室外機。
【請求項１０】
前記取手がすべて前記室外機本体の角部の上下方向の同じ高さ位置に設けられたことを特徴とする請求項１〜９のいずれかに記載の空気調和機の室外機。
【請求項１１】
請求項１〜１０のいずれかに記載の室外機を備えたことを特徴とする空気調和機。
【発明の詳細な説明】
【技術分野】
【０００１】
本発明は、空気調和機の室外機及びこれを備えた空気調和機に係り、より詳しくは、取手を設けた分離型空気調和機の室外機及びこれを備えた空気調和機に関する。
【背景技術】
【０００２】
近年、高性能かつ大能力化された分離型空気調和機が普及しているが、この空気調和機を構成する室外機は、施工時等に運搬するために手を掛ける取手を持ちやすくし、また効率的に配置する必要がある。
大型で重量の大きい室外機では、二人で運搬できるように本体の前面及び背面の４箇所に取手が配置されているのが一般的である（例えば、特許文献１参照）。
【先行技術文献】
【特許文献】
【０００３】
【特許文献１】特開２００７−３３３２５５号公報（第４頁−第５頁、図６−図８）
【発明の概要】
【発明が解決しようとする課題】
【０００４】
従来の空気調和機の室外機は、取手は、製品のデザインや構造的な理由により、必ずしも最適とはいえない位置に設けられていた。また、最適な位置に設けるために、冷媒回路の形状を変更したり送風機等の配置を変更するなど、内設物に影響する場合があった。
【０００５】
本発明は、上記のような課題を解決するためになされたもので、内設物への影響がなく、最適な位置に取手を設けることにより、運搬に便利で設置安全性の高い空気調和機の室外機及びこれを備えた空気調和機を提供することを目的とする。
また、取手に指が自然に収まるようにして握持しやすい空気調和機の室外機及びこれを備えた空気調和機を提供することを目的とする。
【課題を解決するための手段】
【０００６】
本発明は、熱交換器、送風機、圧縮機、冷媒配管を備えた空気調和機の室外機であって、
室外機の室外機本体の角部に室外機搬送用の取手が設けられ、取手が角部の両辺に跨って開口しているものである。
【０００７】
また、本発明に係る空気調和機は、上記の室外機を備えたものである。
【発明の効果】
【０００８】
室外機搬送用の取手を室外機本体の角部に設けたので、強度の高い部分を把持することにより設置安全性が高くなり、また、内設物に影響されずに最適な位置に設けることにより運搬が容易かつ便利である。さらに、取手を袋形状の手挿入部としたので、把持が容易である。
【図面の簡単な説明】
【０００９】
【図１】本発明の実施の形態１に係る空気調和機の室外機の前面側の斜視図である。
【図２】図１の背面側の斜視図である。
【図３】図１の正面図、左側面図、右側面図である。
【図４】図１のＡ−Ａ断面図である。
【図５】図４の取手を拡大した上面図、正面図、右側面図である。
【発明を実施するための形態】
【００１０】
実施の形態１．
実施の形態に係る空気調和機の室内機を示す図１〜図４において、室外機本体１は金属板により前面が開口されたほぼ箱状に形成されており、一方の側面から前面側及び背面側の一部にかけて設けられた第１のサイドパネル２と、他方の側面から前面側及び背面側の一部にかけて設けられた第２のサイドパネル３とを備えている。また、第１のサイドパネル２の側面側、及び室外機本体１の背面側には、外気の吸込み口２ａ、４が設けられている。
【００１１】
そして、室外機本体１の内部には、吸込み口４から第１のサイドパネル２に沿ってほぼＬ字状の熱交換器１２が設置され、その前面側に送風機１３が配設された送風室１１と、仕切り板１４を介して他方の側に設けられ、圧縮機１６や冷媒配管１７などが設置された機械室１５が設けられており、送風室１１の前面側にはファンガード１８が設けられ、機械室１５の前面側は第２のサイドパネル３により閉じられている。
【００１２】
図１、図２に示すように、室外機本体の上下方向の角部にはそれぞれ室外機搬送用の第１〜第４の取手５ａ、５ｂ、５ｃ、５ｄが設けられている。
第１の取手５ａは第１のサイドパネル２の前面側角部に、第２の取手５ｂは第２のサイドパネル３の前面側角部に設けられており、第３の取手５ｃは第２のサイドパネル３の背面側角部に、第４の取手５ｄは第１のパネル２の背面側角部に設けられている。
【００１３】
そして、図４に示すように、前面側より見て右側の前後に位置する第２、第３の取手５ｂ、５ｃはその長辺側（後述）が前面側及び背面側に位置して対称形状をなし、前面側より見て左側の前後に位置する第１、第４の取手５ａ、５ｄはその短辺側（後述）が前面側及び背面側に位置して対称形状をなしている。
これらの取手５ａ〜５ｄは、図１〜図３に示すように、その設置高さがすべてが同じになるようにしてあり、例えば上下方向の中央部よりやや下方に位置する。そして、それぞれの取手５ａ〜５ｄは袋形状をなし、その上部は指が自然に収まるように凸状に形成され、把持しやすくなっている。
【００１４】
次に、第１〜第４の取手５ａ〜５ｄの構造について詳述する。
図５は第２の取手５ｂを拡大した上面図、正面図及び右側面図である。第２の取手５ｂは例えば樹脂製の取付枠６と、これと一体に設けた例えば樹脂製の袋状部７とからなり、室外機本体１の各角部に設けた開口部（図示せず）に接合され、固定されている。なお、第１、第３、第４の取手５ａ、５ｃ、５ｄも第２の取手５ｂと同じ構造なので、以下、第２の取手５ｂについて説明する。
【００１５】
第２の取手５ｂは、前面側開口部６ａとこれに連続する側面開口部６ｂとを有し、内側に袋状部７が一体に形成された取手枠６が、第２のサイドプレート３の角部に、前面パネルと側面パネルに跨って設けられた開口部に嵌合され、外側に向かって開口して手挿入部Ａを構成している。
【００１６】
手挿入部Ａの巾方向（前面側開口部６ａの幅向）は長辺ｘとなり、前後方向（奥行方向）は短辺ｙとなって、幅方向と奥行方向の長さが異なるようになっている。そして、長辺巾ｘはほぼ指４本相当の幅に、短辺ｙは指の第２関節から根元までの寸法程度の幅に形成されている。なお、第２の取手５ｂの角部は、室外機本体１の角部の形状に併せて円弧状に形成されている。
【００１７】
取手枠６と一体に形成された袋状部７は、挿入した指が自然に収まるように上部が凸状（以下、凸状部７ａという）に形成されており、指の第２関節から指先までが充分に納まる深さとなって、把持し易くなっている。
なお、袋状部７の機械室１５側（又は送風室１１側）の背面側は凹形の円弧形状７ｂに形成されており、これにより、機械室１５（又は送風室１１）に設置した機械や部材等に干渉しないようになっている。また、袋状部７の下面は奥行方向に向って上方に傾斜しており、室外機本体１の角部に設けた開口部に嵌合し易くなっている。
【００１８】
上記のように構成した本実施の形態に係る室外機を、施工等のために移動する場合は、２人掛りで、例えば１人が第１、第４の取手５ａ、５ｄに、他の１人が第２、第３の取手５ｂ、５ｃに両手の指をそれぞれ挿入して把持し、持ち上げて移動する。その際、手挿入部Ａの長辺側６ａからは例えば指４本が、短辺側６ｂには指の第２関節から根元までが挿入され、袋状部７の凸状部７ａには第２関節の指先まで納まるので、運搬が容易かつ安全である。
【００１９】
本実施の形態によれば、第１〜第４の取手５ａ〜５ｄを手の指に合わせた袋形状とし、この袋状部７の上面を指が自然に納まるように凸状部７ａとしたので、把持し易く運搬に便利である。また、袋状部７の機械室１５側又は送風室１１側の背面側を凹形の円弧形状７ｂとしたので、内部に設けた圧縮機１６や冷媒配管１７、熱交換器１２や送風機１３などの内蔵機器や部材などに干渉することがない。
【００２０】
さらに、室外機本体１の移動に最適位置、すなわち角部の上下方向の同じ高さ位置に第１〜第４の取手５ａ〜５ｄを設けたので、強度の大きい角部を把持することになり、大型化されて重量の大きい室外機の施工時等の運搬を、２人作業で容易かつ安全に行うことができる。また、作業者の手の高さ位置が同じなので、運搬の便利性、設置安全性に優れた室外機を得ることができる。
【００２１】
実施の形態２．
実施の形態１では、第１〜第４の取手５ａ〜５ｄの長辺ｘと短辺ｙの長さを手の指に併せて異なる長さとしたが、本実施の形態は、２辺の長さを同じ長さにしたものである。
本実施の形態においても、実施の形態１と実質的に同様の効果を得ることができる。
【００２２】
上記の説明では、図１〜図４に示す室外機に本発明を実施した場合を示したが、これに限定するものではなく、他の構造の室外機にも本発明を実施することができる。
【００２３】
実施の形態３．
本実施の形態は、空気調和機に実施の形態１又は２に係る室外機を備えたものである。
【符号の説明】
【００２４】
１  室外機本体、２  第１のサイドパネル、３  第２のサイドパネル、２ａ、４  吸込み口、５ａ〜５ｄ  第１〜第４の取手（取手）、６  取手枠、６ａ  前面側開口部、６ｂ  側面側開口部、７  袋状部、７ａ  凸状部、７ｂ  円弧形状、１１  送風室、１２  熱交換器、１３  送風機、１５  機械室、１６  圧縮機、１７  冷媒配管、Ａ  手挿入部。
【図１】
2010175134.tif 000003
【図２】
2010175134.tif 000004
【図３】
2010175134.tif 000005
【図４】
2010175134.tif 000006
【図５】
2010175134.tif 000007